(57)【特許請求の範囲】
【請求項１】
横断する関節ピン（６，１０；５，９）に設けられた第１及び第２のイコライザー（７，８）により揺動するヒンジの一部（１１）に連結され家具（２）の部品の本体に固定することのできるヒンジアーム（１）と、第１の弾性部材（１５）とを備え、第１のイコライザー（８）が関節ピン（５）の１つの部分にレバーアームを形成する第１の突起部分（１３）を有し、第１の弾性部材（１５）が揺動するヒンジ部分（１１）に閉じ方向の推力を生じさせるように第１のイコライザー（８）の突起部分（１３）に圧力を加えるように構成されたヒンジであって、第１のイコライザー（８）に第２の突起部分（１８）が設けられており、第２の弾性部材（２４）がその上で動作して、揺動するヒンジ部分（１１）の閉じ位置に近い揺動部分のために第１の弾性部材（１５）によって発揮される推力と相反する推力を発揮するようになっていることを特徴とするヒンジ。
【請求項２】
第１及び第２の弾性部材（１５，２４）がそれぞれ作用する第１及び第２の突起部分（１３，１８）が、第１のイコライザー（８）に設けられていることを特徴とする、請求項１に記載のヒンジ。
【請求項３】
第２の突起部分（１８）が、家具の部品（２）の本体に近い方のイコライザー（８）のＵ字状に曲げられた両側に形成されたカムから成り、カムは、関節ピン（５）と同心の第１の部分（１９）と、第１の部分（１９）から続きエッジ（２１）までの関節ピン（５）からの距離が増大する部分（２０）と、エッジ（２１）を超え関節ピン（５）からの距離が急激に減少する部分（２２）とを有していることを特徴とする請求項１または２に記載のヒンジ。
【請求項４】
ヒンジの閉じ位置の直前で、第２の弾性部材（２４）が関節ピン（５）から最も遠いエッジ（２１）を超え、関節ピン（５）からの距離が急激に減少する部分（２２）と当接することを特徴とする、請求項３に記載のヒンジ。
【請求項５】
第２の弾性部材（２４）が、ヒンジアーム（１）中の横断ピン（２３）に取りつけられたトーションばね（２４）から成り、固定されたシャンク（２５）が、ヒンジアーム（１）の裏側に当接し、他方のシャンク（２６）が、第１のイコライザー（８）のカム（１８）に当接することを特徴とする、請求項３または４に記載のヒンジ。
【請求項６】
トーションばね（２４）が、対称形であり、その固定されたシャンク（２５）が、スロット（２７）で互いに連結された２つの中央シャンク（２５’，２５”）から成り、トーションばねの対称な両側に形成された２つのシャンク（２６）が、第１のイコライザー（８）のカム（１８）に当接することを特徴とする、請求項５に記載のヒンジ。
【請求項７】
トーションばね（２４）の固定されたシャンク（２５）が、ヒンジアーム（１）の裏側にねじ込まれたねじ（２８）の下部と当接することを特徴とする、請求項５または６に記載のヒンジ。
【発明の詳細な説明】
【０００１】
【発明の属する技術分野】
本発明は、横断するピンに取りつけられ、１つのイコライザーは揺動軸線の１つの部分にレバーアームを形成する１つの突起部分を有する２つのイコライザーにより揺動するヒンジの一部に連結されている家具の部品の本体に固定することのできるヒンジアームと、揺動するヒンジ部分に閉じ方向の推力を生じさせるようにイコライザーの突起部分に圧力を加える弾性部材とを備えた、特に家具の部品用のヒンジに関するものである。
【０００２】
【従来の技術及び発明が解決すべき課題】
家具の部品用のヒンジに用いられる閉じ器具が知られており、それには、刺激的な雑音や衝撃を防止するために閉じ位置の直前でドアの速度を減少するための減速装置が連結されている。
【０００３】
ドイツ特許ＤＥ３１２０２０１ ＡＩはこの形式の家具の部品用のヒンジを開示しており、ピストンがヒンジアームに設けられており、その上を、１つのイコライザーと一体形成のレバーで引きよせられ且つその摩擦係数を増大させる壁の被覆によって制動されるシリンダーがスライドする。そのような既知の減速装置は、通常は、複数且つ高精度の構造は有していないが、ヒンジアームの中に多くのスペースをとり、従って固定及び調節部材の配置を困難にしている。
【０００４】
かくして、本発明の目的は、上述した形式の閉じ装置を有し、さほど高価でなく且つ嵩ばらない減速装置を有するようなヒンジを提供することである。
【０００５】
【課題を解決するための手段】
本発明によれば、そのような目的は、イコライザーの１つに、第２の弾性部材がその上で第１の弾性部材によって発揮される推力と相反する推力を発揮するように作用する、第２の突起部分を設けることによって達成される。
【０００６】
イコライザーのようなヒンジの必須部材に直接作用する第２の相反する弾性部材の使用は、そのような必須部材に連結されて相互作用による制動効果を実現する追加の部材を使用しなければならないという必要性を回避する。これは少ない部品を使用し、それによってスペースを節約する効果をもたらす。
【０００７】
２つの弾性部材がそれぞれその上で動作することのできる２つの突起部分が、同じイコライザーに適切に設けられている。
【０００８】
好適な実施例では、第２の突起部分は、家具の部品の本体に近い方のイコライザーのＵ字状に曲がった側面に形成されたカムから成り、そしてそれは揺動軸と同心の第１の部分を有し、そしてそのカムは、ヒンジが閉じる方向にエッジまで距離が増大する部分が続いており、そこを超えると距離は急激に減少している。
【０００９】
ヒンジの閉じ位置の直前に、弾性相反部材が揺動軸から最も遠いエッジを丁度超える距離減少部分と当接し、第１の弾性部材で発揮される推力に加わる閉じ方向の推力を発揮する。
【００１０】
第２の弾性相反部材は、ヒンジアーム中の横断ピンに取りつけられたトーションばねで適当に形成されており、固定されたシャンクが、ヒンジアームの裏側と当接し、そして他方のシャンクは、イコライザーのカムに当接している。
【００１１】
更なる実施例では、トーションばねは、対称的な形状をしており、固定されたシャンクは、互いにスロットで連結されている２つの中央シャンクから成り、そして２つの側部シャンクが、イコライザーのカムと当接するようになっている。
【００１２】
弾性部材の固定されたシャンクは、ヒンジアームの裏側にねじ込まれたねじの下部に当接することができ、かくしてその予圧力及びかくして発揮される相反力の調節が可能になっている。
【００１３】
本発明の実施例が、以下図面を参照して説明される。
【００１４】
【実施例】
前面だけが図示されているＵ字状に曲がったヒンジアーム１が、固定用基部を介して通常の態様で家具２の本体に連結されている。関節ピン５，６がヒンジアーム１の両側の間に保持されており、その上にイコライザー８，７のそれぞれの第１端部が揺動するような態様で取りつけられている。イコライザー８，７のそれぞれの他端がドア１２の端部に埋め込まれた箱型の揺動部材１１の両壁の間に配置された関節ピン９，１０上に揺動する態様に取りつけられている。イコライザー７は、Ｕ字状に曲がったプレート部分から成り、一方、イコライザー８は、関節ピン９のまわりでカールしており、関節ピン５のところでＵ字状に曲がっている薄板から成っている。突起部１３を形成する延長部が、イコライザー８を２つのアームのあるレバーにするようにイコライザー８の裏側に関節ピン５の近くに形成されている。
【００１５】
イコライザー７の曲がった両側の間の関節ピン６に、２つのアーム１６，１７を有する薄板ばね１５がプラスティック製のブシュ１４を介して巻かれており、アームの１つである１６は、ヒンジアーム１の裏側に当接し、そして弾発可能な他のアーム１７は、図１〜３に示すような態様でイコライザー８の突起部分１３のエッジを押圧しており、かくして、ヒンジの揺動部分１１上に閉じ方向の推力を生じさせている。
【００１６】
ヒンジは、従来から知られている構造を有しているので、更に詳細な説明は省略される。
【００１７】
インテリア家具２に面する部分であって家具２の本体により近いイコライザー８のＵ字状に曲がった両側には、第２の突起部分１８が形成されており、その外側エッジは、カムの形を呈している。ヒンジアーム１の裏側により近い部分では、カムは、図４で更によく判るように先ずイコライザー８の揺動ピン５と同心状の円弧部１９を構成しており、次いで、揺動ピン５の軸心からの距離が好適には直線に沿ってエッジ２１までコンスタントに増加する部分２０を構成しており、そこを超えると、距離は直線に沿って急速に減少している。
【００１８】
ヒンジアーム１の両側の間で、イコライザー８の第２の突起部分１８より上の部分には、横断ピン２３が固定されており、その上には、第２の弾性相反部材であるトーションばね２４が設けられている。トーションばね２４の１つのシャンク２５は、ヒンジアーム１の裏側に固定され且つ当接しており、一方、他方のシャンク２６は、イコライザー８のカム状をした第２突起部分１８と当接している。
【００１９】
トーションばね２４は、図６に示されるように対称的な形を有することができ、そこでは、固定されたシャンク２５は、スロット２７のところで互いに連結された２つの中央シャンク２５’，２５”から成っており、そしてＵ字状のイコライザー８のカムと当接するアーム２６が両側に設けられている。
【００２０】
図１でみられるヒンジの開いた位置では、トーションばね２４のシャンク２６は、イコライザー８に何らのモーメントを発揮することなく、カム（第２突起部分）１８の同心円弧部分１９と当接する。薄板ばね１５は、揺動ピン５に関して存在している摩擦力に打ち勝つには十分でない小さなアームで平行してイコライザー８の第１の突起部分１３を押しているから、ヒンジには何らの推力作用が加えられない。
【００２１】
図２で明らかなように、閉じた状態に近いヒンジの位置では、薄板ばね１５は、ドア１２を閉じた位置へ押すあるモーメントをイコライザー８に発揮する。トーションばね２４のシャンク２６は、カム１８の距離増大部分２０を滑り始めて、かくして、第１の弾性部材（薄板ばね）１５によって発揮されるモーメントに対抗するあるモーメントをイコライザー８に発揮し、かくしてその効果を減少させる。
【００２２】
図３にみられるヒンジが閉ざされた位置では、薄板ばね１５は、ドア１２を閉じた状態に維持するあるモーメントを発揮し、そして、トーションばね２４のアーム２６は、エッジ２１を丁度超えたカム（第２突起部分）１８の直線部分２２の最初の部分と当接し、かくして、第１の弾性部材（薄板ばね）１５に効果を及ぼすあるモーメントを発揮する。
【００２３】
図５の実施例では、ヒンジアーム１の裏側へねじ込まれたねじ２８が設けられており、その下部に、トーションばね２４の固定されたシャンク２５が当接している。従って、ねじ２８を調節することによって予圧力及びかくしてトーションばね２４の相反する力を調節することが可能である。
【図面の簡単な説明】
【図１】  本発明のヒンジを閉じた状態で示す縦断面図。アームが家具の固定部に固定されており、可動部がドアに埋め込まれている。
【図２】  制動効果が開始する位置における図１の開いたヒンジの縦断面図。
【図３】  閉じた状態における図１及び図２のヒンジの縦断面図。
【図４】  レバーのアームを形成する２つの突起部が設けられたイコライザーの拡大側面図。
【図５】  ヒンジの第２実施例による、図３に対応する部分縦断面図。
【図６】  弾性相反部材の平面図。
【符号の説明】
１…          Ｕ字状に曲がったヒンジアーム
２…          家具
３…          取付け基部
４…          両側面
５，６…      関節ピン
７，８…      イコライザー
１０…        他端
１１…        ボックス型揺動部材
１２…        ドア
１３…        第１の突起部分
１４…        プラスティック製ブシュ
１５…        薄板ばね
１６，１７…  アーム
１８…        第２の突起部分
１９…        円弧部（第１の部分）
２０…        軸心距離が増大する部分
２２…        直線
２３…        横断ピン
２４…        トーションばね
２５…        シャンク
２６…        アーム
２７…        スロット
２８…        ねじ
【図１】
0003751226.tif 000002
【図２】
0003751226.tif 000003
【図３】
0003751226.tif 000004
【図４】
0003751226.tif 000005
【図５】
0003751226.tif 000006
【図６】
0003751226.tif 000007